(57)【特許請求の範囲】
【請求項１】
手の中で握れる大きさのボール本体と、このボール本体の中心を通る挿込孔と、この挿込孔に着脱自在の棒状の筆記具とより成り、筆記具の挿込方向を収納時は、芯先端をボール本体の中心に向けて挿込孔を閉塞固定し、筆記時は、収納されている筆記具を抜き取り、反転して筆記具の基部を挿込孔に係止固定させて、芯先端を突出させて筆記可能として成ることを特徴とする筆記具付健康ボール。
【請求項２】
ボール本体は、外表面自体に刺激用の小突起を多数設け、かつ筆記具はボールペンとし、このボールペンの基部に雄ネジ部を設け、ボール本体の挿込孔の開口部に、前記ネジ部と螺合する雌ネジ部を設けて旋回操作で着脱自在として成ることを特徴とする請求項１記載の筆記具付健康ボール。
【請求項３】
筆記具は、基端面に係止溝を設けてボール本体の挿込孔に挿通固定または解放させる場合のコインなどの係止による開閉を可能として成ることを特徴とする請求項２に記載の筆記具付健康ボール。
【発明の詳細な説明】
【技術分野】
【０００１】
本発明は、書き物をする時は筆記具として使用でき、そうでない場合は、筆記具を収納して手の平の神経やツボを刺激して脳の活性化や健康維持を促進できる健康具として使用可能な筆記具付健康ボールに関する。
【背景技術】
【０００２】
一般に、健康器具や筆記具はそれぞれ各別の独立した商品として種々のものが知られている。
【０００３】
例えば、ボール形状を備えて、脳の活性化を促す指動作を効果的に行うための指動作補助具が知られている。また、筆記具や箸の持ち方や使い方を矯正する道具や練習具も知られている（例えば、特許文献１参照）。
【特許文献１】特開２００６−２６３４６２号公報
【発明の開示】
【発明が解決しようとする課題】
【０００４】
この特許文献１は、健康具として、また筆記具の持ち方の矯正具として用いることができるのみで、同時に変形させて健康具として、また筆記具として機能的に用いることは不可能であった。
【０００５】
本発明は、叙上の点に着目して成されたもので、一つの構成のものを使用目的の変化に応じて健康用として、又、筆記具として、簡単に使い分けるようにした新規な筆記具付健康ボールを提供することを目的とする。
【課題を解決するための手段】
【０００６】
本発明は、以下の構成を備えることにより、上記課題を解決できるものである。
【０００７】
（１）手の中で握れる大きさのボール本体と、このボール本体の中心を通る挿込孔と、この挿込孔に着脱自在の棒状の筆記具とより成り、筆記具の挿込方向を収納時は、芯先端をボール本体の中心に向けて挿込孔を閉塞固定し、筆記時は、収納されている筆記具を抜き取り、反転して筆記具の基部を挿込孔に係止固定させて、芯先端を突出させて筆記可能として成ることを特徴とする筆記具付健康ボール。
【０００８】
（２）ボール本体は、外表面自体に刺激用の小突起を多数設け、かつ筆記具はボールペンとし、このボールペンの基部に雄ネジ部を設け、ボール本体の挿込孔の開口部に、前記ネジ部と螺合する雌ネジ部を設けて旋回操作で着脱自在として成ることを特徴とする前記（１）記載の筆記具付健康ボール。
【０００９】
（３）筆記具は、基端面に係止溝を設けてボール本体の挿込孔に挿通固定または解放させる場合のコインなどの係止による開閉を可能として成ることを特徴とする前記（２）に記載の筆記具付健康ボール。
【発明の効果】
【００１０】
本発明によれば、筆記具がボール本体内に収納されている場合は、ボール本体は、携行時、所要の衣服のシャツやスボンのポケットに入れて軽装で持ち歩くことができ、または室内でも同様にして常時携行できるので、必要に応じボール本体を手の平の中で反覆して把握把持操作することにより、特に小突起に基づく手の平の神経や身体のツボ、血管を刺激して神経の末端より脳を活性化でき、血行の改善や病後のリハビリ、身体の改善や、特に老化の進行を押えて健康の維持を図れると共に、簡単なメモや書き込みなどは、筆記具をボール本体より取り出し、反転し、芯を表にしてボール本体に挿し替えて、筆記具をボール本体の表面に突出させることにより、ボール本体を把持してノートや紙切れに必要事項を書くことができる。
【００１１】
また、ボール本体にはストラップを取付けて、首掛け、腕掛け、ベルト掛け、さらには携帯電話のストラップとして使用できるので、常に携帯が可能となる。
【００１２】
さらに、ボール本体は弾性体としてゴム又はプラスチックで、好みの形状、例えば、ディンプルを有する種々のカラーを備えたゴルフボールとか、野球のボール、さらにはサッカーボール、特に非円球状のラグビーボールなどの球形状としても形成できる。
【００１３】
また、本発明によれば、筆記具と健康具との機能を有するもので、贈呈用に適すると共に、オリンピックなどの球戯スポーツの土産品や各種企業のＰＲ用など、広く販売できる。
【００１４】
そして、筆記具はその端部にコインで係止できる係止溝を設けてあるので、誰でも、またゴルフプレー中でもプレーヤーはコインを用いて筆記具をボール本体より抜き取り、挿し替えて筆記具として用いることができる。
【００１５】
さらに筆記具は、小形小型のボールペン構造のものが好ましいが、通常の鉛筆でも用いることができる。
【発明を実施するための最良の形態】
【００１６】
以下本発明を実施するための最良の形態を、実施例により詳しく説明する。
【実施例】
【００１７】
以下、本発明の実施例を図面と共に説明する。
【００１８】
図１は、健康具として使用する場合を示す一部切欠側面図、図２は図１の右方から見た正面図、図３は筆記具を健康ボールの先端に固着して筆記体として使用する場合の側面図、図４（ａ），（ｂ）は２例の筆記具の側面図を示す。なお、図４（ａ）はボールペンのインクを透視して示している。
【００１９】
各図において、１は、中空構成の弾性球状の手の平の中で握ることができる大きさ（直径３ｃｍ〜５ｃｍ位）のボール本体であって、ゴムまたは合成樹脂で成形される。２は、ボール本体の外表面全域に突設した小突起で、人体の手の平、その他の場所を加圧して指圧効果を奏せしめる。そして、身体のツボや神経に刺激を与えて機能回復やリハビリ、老化防止さらには脳の活性化を図ることができる。３は、前記ボール本体１に表面から中心方向に設けた挿込孔、４は、この挿込孔３内に着脱自在に挿通させることができる筆記具であって、筆記具４の先端４ａがボール本体１内に挿し込まれて、基端４ｂはボール本体１の挿込孔３の開口部３ａに臨ませる。
【００２０】
そして、筆記具４を挿込孔３内で着脱自在に挿着させる構成としては、図示では筆記具４の基端４ｂの外周に雄ネジ部５を設け、かつ雄ネジ部５と螺合する雌ネジ部６を、挿込孔３の開口部３ａに内設することによって螺着できる。
【００２１】
７は、筆記具４の後端面に設けた係止溝で、コインなどの端面が係止係合できる大きさとして、このコインを用いて筆記具４を挿込孔３内に挿入係止させたり、筆記具４を挿込孔３より抜き取り出すことができる。ボール本体１と筆記具４とは筆記具４の基端４ｂに設けた雄ネジ部５を用いて、ボール本体１の挿込孔３の開口部３ａの雌ネジ部６と螺合させて、筆記具４をボール本体１の外周面に確固に固着起立させることができる。
【００２２】
８は、ボール本体１の外周必要箇所に埋設した止環で、紐を挿通可能とし、携帯電話と連結したり、又、紐を首掛け、手掛け又は、ベルトに挿通して携行しやすくすることができる。
【００２３】
なお、図示では、挿込孔３の開口部３ａと筆記具４との係合構成は、雌ネジ部６と雄ネジ部５としてあるが、その他の簡単な係止構成とすることもできる。
【００２４】
また筆記具４は、図４（ａ），（ｂ）に示すようにボールペンや鉛筆とすることができ、使用済後は、新たな部品として購入して継続して使用可能である。
【００２５】
また、筆記具４の雄ネジ部５は、筆記具４の基端に被冠させて接着剤で固着させて形成できる。
【００２６】
上述の構成に成るので、健康具として使用する時は、筆記具４をボール本体１内に収納させて置く状態で、手の平の中で反覆把握操作をすることにより、部屋の中でも歩行中でも神経を刺激させたり、身体のツボを当接させて、健康改善に役立たせることができる。
【００２７】
また、メモや簡単な書き物をしたい時は、コインなどを用いて筆記具４の基端の係止溝７に係合させて、筆記具４を取り出し、これを反転させて基端の雄ネジ部５を、ボール本体１の雌ネジ部６と係合させて、ボール本体１の外表面に固着突出させることができるので、ボール本体１を把持して筆記することができる。
【００２８】
全体が手の平に入る大きさのボール本体１で、携行できるので、常時携行が可能であり、しかも筆記具４の使用もできのるので、きわめて至便できる。
【図面の簡単な説明】
【００２９】
【図１】健康具として使用する場合を示す一部切欠側面図
【図２】図１の右方から見た正面図
【図３】筆記具を健康ボールの先端に固着して筆記体として使用する場合の側面図
【図４】（ａ），（ｂ）は２例の筆記具の側面図
【符号の説明】
【００３０】
１    ボール本体
２    小突起
３    挿込孔
３ａ  開口部
４    筆記具
４ａ  先端
４ｂ  基端
５    雄ネジ部
６    雌ネジ部
７    係止溝
８    止環
【要約】
【課題】一つの構成のものを使用目的の変化に応じて健康用として、又、筆記具として、簡単に使い分けるようにした新規な筆記具付健康ボールの提供。
【解決手段】手の中で握れる大きさのボール本体１と、このボール本体１の中心を通る挿込孔３と、この挿込孔３に着脱自在の棒状の筆記具４とより成り、筆記具４の挿込方向を収納時は、芯先端をボール本体１の中心に向けて挿込孔３を閉塞固定し、筆記時は、収納されている筆記具４を抜き取り、反転して筆記具４の基部を挿込孔３に係止固定させて、芯先端を突出させて筆記可能として成ることを特徴とする筆記具付健康ボール。
【選択図】図１【図１】
0004064444.tif 000002
【図２】
0004064444.tif 000003
【図３】
0004064444.tif 000004
【図４】
0004064444.tif 000005